(57)【要約】【課題】簡単な構成でドレイン水の対策をしつつハーネスを容易にかつ確実に保持でき、組立時間を短縮できる空気調和機の室内機を提供する。【解決手段】本体ケーシングと、本体ケーシング内に夫々配置された電装品間を接続するためのハーネス２１,２２、本体ケーシング側に固定され、ポケット部１０a有するハーネス保持部材１０とを備える。そして、上記ハーネス２１,２２を途中で湾曲させて、そのハーネス２１,２２の湾曲部２１a,２２aをハーネス保持部材１０のポケット部１０aに押し込むことによって、ハーネス保持部材１０によりハーネス２１,２２を保持する。【選択図】図１
2007147151.tif 000002
【特許請求の範囲】
【請求項１】
本体ケーシング(５０,５６)と、
上記本体ケーシング(５０,５６)内に夫々配置された電装品間を接続するためのハーネス(２１,２２)と、
上記ハーネス(２１,２２)を保持するためのポケット部(１０a)を有するハーネス保持部材(１０)と
を備え、
上記ハーネス(２１,２２)を途中で湾曲させて、そのハーネス(２１,２２)の湾曲部(２１a,２２a)を上記ハーネス保持部材(１０)の上記ポケット部(１０a)に押し込むことによって、上記ハーネス保持部材(１０)により上記ハーネス(２１,２２)を保持していることを特徴とする空気調和機の室内機。
【請求項２】
請求項１に記載の空気調和機の室内機において、
上記本体ケーシング(５０,５６)内に配置された室内熱交換器を備え、
上記ハーネス保持部材(１０)は、上記室内熱交換器の側部と上記本体ケーシング(５０,５６)の側面との間の空間の前面側に配置されていることを特徴とする空気調和機の室内機。
【請求項３】
請求項２に記載の空気調和機の室内機において、
上記ハーネス保持部材が防滴カバーの一部であることを特徴とする空気調和機の室内機。
【請求項４】
請求項１乃至３のいずれか１つに記載の空気調和機の室内機において、
上記ハーネス保持部材(１０)は、上記ポケット部(１０a)の下側に設けられ、上記ポケット部(１０a)内に押し込まれた上記ハーネス(２１,２２)の上記湾曲部(２１a,２２a)に沿って流れ落ちるドレイン水を案内する案内部(１０b)を有することを特徴とする空気調和機の室内機。
【請求項５】
請求項１乃至４のいずれか１つに記載の空気調和機の室内機において、
上記ハーネス(２１,２２)の上記湾曲部(２１a,２２a)の両側を束ねる結束部(２３)を備えたことを特徴とする空気調和機の室内機。
【発明の詳細な説明】
【技術分野】
【０００１】
この発明は、空気調和機の室内機に関する。
【背景技術】
【０００２】
空気調和機の室内機の組立において、近年の高機能化に伴ってハーネスの処理が複雑化する傾向にある。
【０００３】
図５は従来の空気調和機の室内機の斜視図を示している。なお、図５では、前面パネル５６を外した状態を示している。
【０００４】
図５に示すように、底フレーム５０の前面側に、第１熱交換部５１と第２熱交換部５２を配置し、その第１熱交換部５１と第２熱交換部５２の後面側に第３熱交換部５３を配置している。上記第１熱交換部５１と第２熱交換部５２および第３熱交換部５３で室内熱交換器を構成している。そして、上記室内熱交換器の右側側方に電装品箱５５を配置している。上記室内熱交換器と電装品箱５５との間の配管スペースの前面側に、ドレイン水が機外に飛び出さないようにするための防滴カバー５３を取り付けている。
【０００５】
上記空気調和機の室内機において、図６に示すように、室内熱交換器近傍のハーネス６０に万一ドレイン水が付着して電装品に伝わった場合のことを考慮して、ハーネス６０の途中にトラップを設ける必要があった。また、上記空気調和機の室内機では、ハーネスの組立ばらつきを考慮しつつドレイン水が機外に飛び出さないように、タイラップを用いてハーネスを束ねてケーシングに固定したり、ケーシング側に設けたフック(図６の５３a等)にハーネスを引っ掛けて固定したりする必要があった。このため、上記空気調和機の室内機では、組立に時間を要するという問題がある。
【０００６】
また、従来の他の空気調和機の室内機としては、側壁に係止片を設けられた配線溝内にハーネスを保持するものがある(例えば、特開平９−１８４６３９号公報(特許文献１)参照)。この空気調和機の室内機では、配線溝の側壁の弾性変形により溝幅を広げた状態でハーネスを配線溝内に挿入した後、配線溝の側壁を元の形状に復元することによって、配線溝内にハーネスが保持される。
【０００７】
上記空気調和機の室内機では、ハーネスに付着したドレイン水が電装品に伝わる恐れがあり、ドレイン水が機外に飛び出さないようにすることも考慮されていない。
【特許文献１】特開平９−１８４６３９号公報
【発明の開示】
【発明が解決しようとする課題】
【０００８】
そこで、この発明の目的は、簡単な構成でドレイン水の対策をしつつハーネスを容易にかつ確実に保持でき、組立時間を短縮できる空気調和機の室内機を提供することにある。
【課題を解決するための手段】
【０００９】
上記目的を達成するため、この発明の空気調和機の室内機は、
本体ケーシングと、
上記本体ケーシング内に夫々配置された電装品間を接続するためのハーネスと、
上記ハーネスを保持するためのポケット部を有するハーネス保持部材と
を備え、
上記ハーネスを途中で湾曲させて、そのハーネスの湾曲部を上記ハーネス保持部材の上記ポケット部に押し込むことによって、上記ハーネス保持部材により上記ハーネスを保持していることを特徴とする。ここで、ハーネス保持部材は、取付部、例えば、本体ケーシング、熱交換器、その他の部材に直接または間接的に取り付けられる。
【００１０】
上記構成の空気調和機の室内機によれば、上記本体ケーシング内に夫々配置された電装品間を接続するハーネスを途中で湾曲させて、そのハーネスの湾曲部をハーネス保持部材のポケット部に押し込んで、ハーネス保持部材によりハーネスを保持する。上記ハーネス保持部材のポケット部は、上側に開口しているので、ポケット部に押し込まれたハーネスの湾曲部は、先端側が下方に向いた状態でポケット部内に保持される。そうして、ハーネスに付着したドレイン水は、ハーネスの湾曲部に沿って下方に滴下するので、ハーネスの湾曲部はトラップの役割を果たす。これにより、タイラップを用いてハーネスを束ねて本体ケーシングに固定したり、本体ケーシング側に設けたフックにハーネスを引っ掛けて固定したりしなくても、簡単な構成でドレイン水の対策をしつつハーネスを容易にかつ確実に保持でき、組立時間を短縮できる。ここで、ポケット部とは、上側に開口を有する袋状の形態のものであり、底に穴があいているものであってもよいし、底が塞がっているものであってもよい。ポケット部の底に穴があいている場合、ハーネスに付着したドレイン水を溜めることなく処理することが可能となる。
【００１１】
また、一実施形態の空気調和機の室内機は、上記本体ケーシング(５０,５６)内に配置された室内熱交換器を備え、上記ハーネス保持部材は、上記室内熱交換器の側部と上記本体ケーシングの側面との間の空間の前面側に配置されていることを特徴とする。
【００１２】
上記実施形態の空気調和機の室内機によれば、上記ハーネス保持部材を、室内熱交換器の側部と本体ケーシングの側面との間の空間の前面側に配置することによって、ハーネスの湾曲部をハーネス保持部材のポケット部に押し込む作業を容易に行うことができる。
【００１３】
また、一実施形態の空気調和機の室内機は、上記ハーネス保持部材が防滴カバーの一部であることを特徴とする。
【００１４】
上記実施形態の空気調和機の室内機によれば、室内熱交換器の側部と本体ケーシングの側面との間の空間の前面側に配置する防滴カバーの一部がハーネス保持部材を兼ねることによって、狭いスペースを有効に利用でき、部品点数と組立工数を削減できる。
【００１５】
また、一実施形態の空気調和機の室内機は、上記ハーネス保持部材は、上記ポケット部の下側に設けられ、上記ポケット部内に押し込まれた上記ハーネスの上記湾曲部に沿って流れ落ちるドレイン水を案内する案内部を有することを特徴とする。
【００１６】
上記実施形態の空気調和機の室内機によれば、上記ハーネス保持部材のポケット部の下側に設けられた案内部によって、ポケット部内に押し込まれたハーネスの湾曲部に沿って流れ落ちるドレイン水を案内するので、ハーネスに付着したドレイン水が外部に飛び出さず、例えば下方にドレンパンを設けることにより排水処理が容易にできる。
【００１７】
また、一実施形態の空気調和機の室内機は、上記ハーネスの上記湾曲部の両側を束ねる結束部を備えたことを特徴とする。
【００１８】
上記実施形態の空気調和機の室内機によれば、上記ハーネスの途中で湾曲させた湾曲部の両側を結束部により束ねることによって、ハーネス保持部材のポケット部内に押し込まれたハーネスの湾曲部がばらけることなくポケット部内で安定し、より確実な保持が可能となる。
【発明の効果】
【００１９】
以上より明らかなように、この発明の空気調和機の室内機によれば、簡単な構成でドレイン水の対策をしつつハーネスを容易にかつ確実に保持でき、組立時間を短縮できる空気調和機の室内機を実現することができる。
【００２０】
また、一実施形態の空気調和機の室内機によれば、室内熱交換器の側部と本体ケーシングの側面との間の空間の前面側に、ハーネス保持部材を配置することによって、ハーネスの湾曲部をハーネス保持部材のポケット部に押し込む作業を本体ケーシングの前面側から容易に行うことができる。
【００２１】
また、一実施形態の空気調和機の室内機によれば、室内熱交換器の側部と本体ケーシングの側面との間の空間の前面側に配置する防滴カバーの一部がハーネス保持部材を兼ねることによって、狭いスペースを有効に利用でき、部品点数と組立工数を削減することができる。
【００２２】
また、一実施形態の空気調和機の室内機によれば、ハーネス保持部材のポケット部の下側に設けられた案内部によって、ポケット部内に押し込まれたハーネスの湾曲部に沿って流れ落ちたドレイン水を案内することによって、ハーネスに付着したドレイン水が外部に飛び出さず、例えば下方に設けられたドレンパンにより排水処理が容易にできる。
【００２３】
また、一実施形態の空気調和機の室内機によれば、上記ハーネスの途中で湾曲させた湾曲部の両側を結束部により束ねることによって、ハーネス保持部材のポケット部内に押し込まれたハーネスの湾曲部がポケット部内で安定し、より確実な保持が可能となる。
【発明を実施するための最良の形態】
【００２４】
以下、この発明の空気調和機の室内機を図示の実施の形態により詳細に説明する。
【００２５】
図１はこの発明の実施の一形態の空気調和機の室内機の要部の正面図を示している。この実施形態の空気調和機の室内機は、ハーネス保持部材などを除いて図５の従来の空気調和機の室内機と同様の構成をしており、図５を援用する。
【００２６】
この空気調和機の室内機は、図１に示すように、底フレーム５０(図５に示す)の前面側に配置された前面側の第１熱交換部５１と、上記底フレーム５０の前面側かつ第１熱交換部５１の下側に配置された前面側の第２熱交換部５２と、上記第１熱交換部５１と第２熱交換部５２の後面側と底フレームとの間に配置された後面側の第３熱交換部５３(図５に示す)とを備えている。上記第１熱交換部５１と第２熱交換部５２および第３熱交換部５３で室内熱交換器を構成している。また、上記底フレーム５０と前面パネル５６(図５に示す)で本体ケーシングを構成している。
【００２７】
また、上記第１熱交換部５１と第２熱交換部５２の前面側に固定された取付枠３０を配置している。この取付枠３０は、第１熱交換部５１と第２熱交換部５２を通過する空気流に対して抵抗が大きくならない形状をしている。また、上記取付枠３０は、第１熱交換部５１と第２熱交換部５２の前面側の一部を覆うと共に、取付枠３０一部が右側外方に向かって突出している。
【００２８】
そして、上記取付枠３０の右側外方に向かって突出する部分に、ハーネス保持部材１０を固定している。また、ハーネス２１,２２によって、本体ケーシング(５０,５６)内に夫々配置された電装品間を接続している。ここで、「電装品」とは、室内ファンモータ,電動弁,フラップ用モータ等や、それを制御するための制御回路等を備えた電装品箱(図示せず)である。この実施の形態では、ハーネス保持部材１０は、取付枠３０に取り付けているが、取付部、例えば、本体ケーシング、熱交換器、その他の部材に直接または間接的に取り付けてもよい。
【００２９】
上記ハーネス２１,２２を途中で夫々湾曲させて、そのハーネス２１,２２の湾曲部２１a,２２aをハーネス保持部材１０のポケット部１０aに押し込むことによって、ハーネス２１,２２をハーネス保持部材１０により保持している。
【００３０】
図２は上記ハーネス保持部材１０の上面図を示し、図３は上記ハーネス保持部材１０の正面図を示し、図４は図３のIV−IV線から見た断面図を示している。
【００３１】
図２,図３に示すように、上記ハーネス保持部材１０は、上側に長方形状の開口１１を有するポケット部１０aと、上記ポケット部１０aの下側に設けられ、後面側に向かって傾斜する案内部１０bと、取付枠３０に固定するためのネジ穴１２が設けられた固定部１０cとを有している。
【００３２】
上記ポケット部１０aと案内部１０bおよび固定部１０cを有するハーネス保持部材１０は、樹脂によって一体成形したものである。なお、上記ハーネス保持部材１０の固定部１０cの裏面側に、位置決め用の凸部１４,１５を突設している。
【００３３】
上記ハーネス保持部材１０を取付枠３０に取り付ける場合、固定部１０cの裏面側を取付枠３０の取り付け面に当接させて、固定部１０cから裏面側に突出する凸部１４を、取付枠３０に設けられた穴３１に挿入する(図２に示す凸部１５も同様)。これによって、ハーネス保持部材１０を位置決めしている。そうして、位置決めされたハーネス保持部材１０のネジ穴１２に固定用のネジ(図示せず)を挿入して取付枠３０の穴(図示せず)に締め込むことによって、ハーネス保持部材１０を取付枠３０に固定する。
【００３４】
また、上記取付枠３０は、ポケット部１０aの背面側の開口の下側の一部分を除いた領域を塞いでいる。これにより、上記ポケット部１０a内に開口１１から押し込められたハーネス２１,２２をポケット部１０a内に確実に保持する。
【００３５】
図４に示すように、上記ハーネス保持部材１０のポケット部１０a内に開口１１から押し込まれたハーネス２１,２２(図１に示す)に沿って流れ落ちたドレイン水は、案内部１０bにより下方に案内される(図４の矢印Ｒ１,Ｒ２)。上記ハーネス保持部材１０の案内部１０bの両側の縁部に沿ってリブ１３を立設しており、上方から流れ落ちたドレイン水は、リブ１３によって側方に流れ落ちずに案内部１０bの下端側に案内される。そうして、上記案内部１０bの下端から流れ落ちたドレイン水をドレンパン(図示せず)で受けた後、外部に排水する。
【００３６】
このように、上記構成の空気調和機の室内機によれば、本体ケーシング内に夫々配置された電装品間を接続するハーネス２１,２２を途中で湾曲させて、そのハーネス２１,２２の湾曲部２１a,２２aを、本体ケーシング側に固定されたハーネス保持部材１０のポケット部１０aに押し込むことによって、ハーネス保持部材１０によりハーネス２１,２２を保持する。上記ハーネス保持部材１０のポケット部１０aは、上側に開口しているので、ポケット部１０aに押し込まれたハーネス２１,２２の湾曲部２１a,２２aは、先端側が下方に向いた状態でポケット部１０a内に保持される。このため、ハーネス２１,２２に付着したドレイン水は、ハーネス２１,２２の湾曲部２１a,２２aに沿って下方に滴下するので、ハーネス２１,２２の湾曲部２１a,２２aはトラップの役割を果たす。これにより、タイラップを用いてハーネスを束ねて本体ケーシングに固定したり、本体ケーシング側に設けたフックにハーネスを引っ掛けて固定したりしなくても、簡単な構成でドレイン水の対策をしつつハーネス２１,２２を容易にかつ確実に保持でき、組立時間を短縮することができる。
【００３７】
また、ハーネス保持部材１０を、室内熱交換器(５１,５２,５３)の側部と本体ケーシング(５０,５６)の側面との間の空間の前面側に配置することによって、ハーネス２１,２２の湾曲部２１a,２２aをハーネス保持部材１０のポケット部１０aに押し込む作業を、本体ケーシングの前面側から容易に行うことができる。
【００３８】
また、上記ハーネス保持部材１０のポケット部１０aの下側に設けられた案内部１０bによって、ポケット部１０a内に押し込まれたハーネス２１,２２の湾曲部２１a,２２aに沿って流れ落ちたドレイン水を下方に案内するので、ハーネス２１,２２に付着したドレイン水が外部に飛び出さず、下側にドレンパンを設けることにより排水処理を容易に行うことができる。
【００３９】
上記実施の形態では、取付枠３０にハーネス保持部材１０を固定したが、ハーネス保持部材はこれに限らず、例えば、室内熱交換器の側部と本体ケーシングの側面との間の空間の前面側に配置された防滴カバーの一部であってもよい。これにより、防滴カバーの一部がハーネス保持部材１０を兼ねることにより、狭いスペースを有効に利用できると共に、部品点数と組立工数を削減することができる。
【００４０】
また、上記実施の形態では、例えば、ハーネス２２の途中で湾曲させた湾曲部２２aの両側を、結束部の一例としてのタイラップ２３(図１に示す)により束ねるようにしてもよい。この場合、ハーネス保持部材のポケット部内に押し込まれたハーネスの湾曲部がばらけることなくポケット部内で安定し、より確実な保持が可能となる。
【００４１】
また、上記実施の形態では、室内熱交換器(５１,５２,５３)の側部と本体ケーシング(５０,５６)の側面との間の空間の前面側に配置したハーネス保持部材１０について説明したが、ハーネス保持部材はこれに限らず、本体ケーシング内に夫々配置された電装品間を接続する他の場所のハーネスを保持するものでもよい。
【図面の簡単な説明】
【００４２】
【図１】図１はこの発明の実施の一形態の空気調和機の室内機の要部の模式図である。
【図２】図２は上記空気調和機の室内機のハーネス保持部材の上面図である。
【図３】図３は上記ハーネス保持部材の正面図である。
【図４】図４は図３のIV−IV線から見たハーネス保持部材の断面図である。
【図５】図５は従来の空気調和機の室内機の斜視図である。
【図６】図６は上記空気調和機の室内機の要部の正面図である。
【符号の説明】
【００４３】
１０…ハーネス保持部材
１０a…ポケット部
１０b…案内部
１０c…固定部
１１…開口
１２…ネジ穴
１３…リブ
１４,１５…凸部
２１,２２…ハーネス
２１a,２２a…湾曲部
２３…タイラップ
３０…取付枠
５０…底フレーム
５１…第１熱交換部
５２…第２熱交換部
５３…第３熱交換部
５６…前面パネル
【図１】
2007147151.tif 000003
【図２】
2007147151.tif 000004
【図３】
2007147151.tif 000005
【図４】
2007147151.tif 000006
【図５】
2007147151.tif 000007
【図６】
2007147151.tif 000008